(57)【要約】      （修正有）【課題】一般人が、唾液の採取に際し、容易に採取できるようにし、更には、人の口腔内に存在する唾液を検体として採取する際に種々の唾液腺が出来るだけ混合しないようにすることができる唾液採取用隔壁を提供する。【解決手段】人の口腔内に存在する唾液を検査用に採取する際であって、且つ、異種唾液腺の混合を抑制して目的とする唾液腺よりなる唾液を採取する際に、人の口腔内に装着可能な唾液採取用隔壁で、当該隔壁は、人の下の歯と舌との間において当該歯列に沿設して装着するようになっているか、又は、人の下の歯に沿い当該下の歯と頬との間に装着するようになっていて、Ｕ字型形状をなしている。 【選択図】図１
0003227943.tif 000002
【実用新案登録請求の範囲】
【請求項１】
人の口腔内に存在する唾液を検体として採取する際であって、且つ、異種唾液腺の混合を抑制して、目的とする唾液腺よりなる唾液を採取する際に、人の口腔内に装着可能な唾液採取隔壁。
【請求項２】
唾液採取隔壁が、人の下の歯と舌との間において、当該歯列に沿設して装着するようになっていることを特徴とする、請求項１に記載の唾液採取隔壁。
【請求項３】
唾液採取隔壁が、Ｕ字型形状の隔壁であることを特徴とする、請求項１に記載の唾液採取隔壁。
【請求項４】
唾液採取隔壁が、人の下の歯に沿い、且つ、当該下の歯と頬との間に装着するようになっていることを特徴とする、請求項１に記載の唾液採取隔壁。
【請求項５】
唾液採取隔壁が、Ｕ字型形状の隔壁であることを特徴とする、請求項４に記載の唾液採取隔壁。
【考案の詳細な説明】
【技術分野】
【０００１】
本考案は、唾液採取用隔壁に関し、特に、人の口腔内に存在する唾液を検体として採取する際に、種々の唾液腺から出る唾液が出来るだけ混合しないようにすることができる唾液採取用隔壁に関するものである。
【背景技術】
【０００２】
人の心身の状態を見るときに、血液や尿等を採取することが行われている。
然しながら、採血（血液採取）は、侵襲（皮膚を傷つけ）があり、又、尿の採取は、トイレに行く必要があったり、その場その場で、採取が難しかったりする。
それに対して、唾液採取は、採血（血液採取）のように侵襲（皮膚を傷つけ）がないし、尿のようにトイレに行くこともなく、現在非常に注目されている分野であり、唾液を検体とする試みとしては、近年、癌，糖尿病等の生活習慣病の検査への応用も研究されている。又、エイズ診断や女性の排卵日等を判断できる製品も発売されている。更に、歯科・口腔領域においては、唾液の検査を行い、被験者固有の唾液の性質に関する様々な情報を得ることにより、口腔内細菌の検出やう蝕リスクの程度を知ることができ、その結果、う蝕予防プログラムの作成、う蝕予防処置効果の検証等を行うことができる。
ところで、人の口腔内に存在する 三大唾液腺としては、図９に示すように、舌下腺１、顎下腺２及び耳下腺３の三腺が有り、各々から分泌される唾液のことを舌下腺唾液、顎下腺唾液及び耳下腺唾液と区別している。一方、これらに属さない口唇腺４、頬腺５等のような小唾液腺も口腔内に存在する。 又、これら唾液全体が混合したものを全唾液と呼んで いる。
唾液については、これら各々の唾液腺及び刺激の有無により唾液量、唾液成分などが異なることが知られていて、人を始めとする動物には、上記のように、複数の唾液腺があり、それぞれの唾液腺の成分は必ずしも同一ではないので、何を測定するのかによって、測定の精度が異なってくるので、唾液採取に際しては、出来るだけ混合していないように唾液を採取する必要がある。
被験者の唾液を採取する方法としては、一つには吸引法が用いられている。しかしながら、当該吸引法は、精度は高いが、研究者・熟練者・医療関係者などに向いていて、一般人が自身で行うのは容易ではないという欠点がある。
又、被験者に対して、その分泌された唾液をロ−ト等の採取容器に吐き出せて採取する方法（吐出法）も行われている。しかしながら、被験者が子供や高齢者等である場合には、この方法により唾液を採取することは困難なことがある。 そのような場合には、把持棒等の先端に取り付けられた合成樹脂や脱脂綿等から成る吸水性材料を被験者の口腔内に挿入させたまましばらく放置することにより、当該吸水性材料に唾液を吸い込ませて唾液を採取する方法が行われている。しかしながら、スワブ法や吐出法は簡便であるが、異種唾液が混入しやすいという欠点がある。
【先行技術文献】
【特許文献】
【０００３】
【特許文献１】実用新案登録３１３８９４４号公報、特開２００７−２４８２６７号公報、特開２００６−２７５８０９号公報
【考案の開示】
【考案が解決しようとする課題】
【０００４】
本考案は、上記に鑑み、一般人が、唾液の採取に際し、容易に採取できるようにし、更には、人の口腔内に存在する唾液を検体として採取する際に、種々の唾液腺が出来るだけ混合しないようにすることができる技術を提供することを目的とし、延いては、採取された唾液が精度の高い測定結果に結びつくことができる技術を提供することを目的とする。
本考案のその他の目的および新規な特徴は以下の明細書及び図面の記載からも明らかになるであろう。
【課題を解決するための手段】
【０００５】
本考案の実用新案登録請求の範囲は、次の通りである。
（請求項１） 人の口腔内に存在する唾液を検体として採取する際であって、且つ、異種唾液腺の混合を抑制して、目的とする唾液腺よりなる唾液を採取する際に、人の口腔内に装着可能な唾液採取隔壁。
（請求項２）  唾液採取隔壁が、人の下の歯と舌との間において、当該歯列に沿設して装着するようになっていることを特徴とする、請求項１に記載の唾液採取隔壁。
（請求項３）  唾液採取隔壁が、Ｕ字型形状の隔壁であることを特徴とする、請求項１に記載の唾液採取隔壁。
（請求項４）唾液採取隔壁が、人の下の歯に沿い、且つ、当該下の歯と頬との間に装着するようになっていることを特徴とする、請求項１に記載の唾液採取隔壁。
（請求項５）唾液採取隔壁が、Ｕ字型形状の隔壁であることを特徴とする、請求項４に記載の唾液採取隔壁。
【考案の効果】
【０００６】
本願において開示される考案のうち代表的なものによって得られる効果を簡単に説明すれば、下記のとおりである。
【０００７】
本考案によれば、請求項１に示すように、人の口腔内に存在する唾液を検体として採取 する際であって、且つ、異種唾液腺の混合を抑制して目的とする唾液腺よりなる唾液を採取する際に、人の口腔内に装着可能な唾液採取隔壁を提供することにより、次のような作用効果を奏することができる。
被験者の唾液を採取する方法としては、例えば唾液吸引装置を用いる吸引法が用いられているが、精度は高いが、研究者・熟練者・医療関係者などに向いていて、一般人が行うのは容易ではないという欠点があるが、本考案では、上記隔壁の提供により、唾液の成分検査に際し、一般人が容易に唾液を採取できるようになる。
又、被験者の唾液を採取する際に、被験者が分泌された唾液をロ−ト等の採取容器に吐き出して採取する方法（吐出法）が行われているが、被験者が子供や高齢者等である場合には、この方法により唾液を採取することは困難なことがある。そのような場合には、把持棒等の先端に取り付けられた合成樹脂や脱脂綿等から成る吸水性材料を被験者の口腔内に挿入させたまましばらく放置することにより、当該吸水性材料に唾液を吸い込ませて唾液を採取する方法が行われている（スワブ法）。しか しながら、スワブ法や吐出法は簡便ではあるが、異種唾液が混入しやすいという欠点がある。 それに対して、本考案の唾液採取隔壁を口中に装着させると、異種唾液の混入が抑制され、精度の高い唾液を採取できる。そして、異種唾液の混入が抑制されて、スワブ法や吐出法を実現できる。 
舌下腺唾液と顎下腺唾液とは、元々それぞれの唾液線管が合流して舌下小丘というところに開口して、主に粘液性唾液で味覚刺激がなくても出ているので固有唾液と呼ばれている。一方、耳下腺は頬の粘膜の耳下腺乳頭というところに開口し、味覚刺激を受けたときなどにさらさらした漿液性唾液を出す。
本考案では、上記のように、唾液採取隔壁を口中に装着させると、前記の３大唾液腺以外の口唇腺、頬腺等の小唾液腺や目的とする唾液以外の異種唾液の混入を防ぐことができる。又、本考案では、耳下腺の唾液が固有唾液（舌下腺・顎下腺唾液）に混入することを抑制することができる。 更に、本考案では、本来採取する目的の唾液に対して異種唾液の混入を最小限に抑えることができるので、唾液測定の精度を向上できる唾液採取を実現できる。
【０００８】
本考案によれば、請求項２に示すように、唾液採取隔壁が、人の下の歯と舌との間において、当該歯列に沿設して装着するようにするとより一層、唾液の検査に際し、一般人が容易に唾液を採取できるようになると共に、異種唾液の混入が抑制され、唾液測定に良好な唾液を採取できる。 
【０００９】
本考案によれば、請求項３に示すように、唾液採取隔壁をＵ字型形状の隔壁とすると、隔壁を、人の下の歯と舌との間において、当該歯列に沿設して装着し易くなり、より 一層、唾液の検査に際し、一般人が容易に唾液を採取できるようになると共に、異種唾液の混入が抑制され、唾液測定に良好な唾液を採取できる。 
【００１０】
本考案によれば、請求項４に示すように、唾液採取隔壁が、人の下の歯に沿い、且 つ、当該下の歯と頬との間に装着するようになっていることにより、上記と同様に、一 般人が容易に唾液を採取できるようになると共に、異種唾液の混入が抑制され、良好な唾液を採取でき、特に、唾液採取隔壁が、人の下の歯に沿い、且つ、当該下の歯と頬との間に装着するようになっているので、前記の三大唾液腺以外の口唇腺、頬腺等の小唾液腺や目的とする唾液以外の異種唾液の混入をより一層防ぐことができると共に、前記 請求項１の唾液採取隔壁を凌駕して、耳下腺の唾液が固有唾液（舌下腺・顎下腺唾液） に混入することを、より一層、抑制することができる。又、本来採取する目的の唾液に対して異種唾液の混入をより一層最小限に抑えて、唾液の成分測定の精度を向上できる唾液採取を実現できる。 
【００１１】
本考案によれば、請求項５に示すように、唾液採取隔壁をＵ字型形状の隔壁とし、人の下の歯に沿い、且つ、当該下の歯と頬との間に装着するようにすると、より一層、一 般人が容易に唾液を採取できるようになると共に、異種唾液の混入が抑制され、唾液の成分測定に良好な唾液を採取でき、特に、唾液採取隔壁をＵ字型にすることにより、人の下の歯に沿い、且つ、当該下の歯と頬との間に装着でき、前記の三大唾液腺以外の口唇腺、 頬腺等の小唾液腺や目的とする唾液以外の異種唾液の混入をより一層防ぐことができると共に、前記請求項１の唾液採取隔壁を凌駕して、耳下腺の唾液が固有唾液（舌下腺・ 顎下腺唾液）に混入することを、より一層、抑制することができる。又、本来採取する目的の唾液に対して異種唾液の混入をより一層最小限に抑えて、唾液の成分測定の精度を向上できる唾液採取を実現できる。
【００１２】
次に、本考案の実施例を図面を参照しつつ説明する。
【実施例】
【００１３】
実施例１
図１は、本考案の一の実施例を示す人の口腔内に存在する唾液を検体に採取する際であって、且つ、異種唾液腺の混合を抑制して目的とする唾液腺よりなる唾液を採取する際に、人の口腔内に装着した唾液採取隔壁（以下、単に隔壁という場合もある。）の 一例を示す平面図である。 図１に示すように、当該実施例では、当該隔壁６は、人の下の歯７と舌８との間で、当該歯列７に沿設して装着するようになっている。また、当該実施例では、当該隔壁６は、当該歯列７に沿設して装着するようにＵ字型形状に構成されている例を示してある。
【００１４】
図２は、本考案の実施例を示す分解平面図で、唾液の検査に際し、Ｕ字型形状に構成 された隔壁６を、人の下の歯７と舌８との間において、当該歯列７に沿設して装着するようになっている。 
【００１５】
図３は、本考案の実施例を示す上記隔壁の斜視図である。 当該隔壁６は、Ｕ字型形状に構成され、上面６０と下面６１と適宜厚さの本体部６２とを有して構成されている。
【００１６】
当該隔壁６は、人体への影響がなく、口腔内での使用が可能で、柔軟性および耐水性を有し、加工性も良く、使用中に破損しないような機械的強度を備えていることが好ましい。材質的には、特に制限はなく、例えば、各種合成樹脂等が挙げられる。
【００１７】
図４は、本考案の使用例の一例を示す説明図である。図４に示すように、唾液の成分検査に際し、Ｕ字型形状に構成された当該隔壁６の舌側に、唾液吸収体９を装着し、当該舌８の下部の唾液を当該唾液吸収体９により吸着させて唾液を採取する。
【００１８】
当該唾液吸収体９は、例えば、唾液を容易に吸着できるように、唾液を吸収する材質により構成されていることが好ましい。 当該唾液吸収体は、人体への影響がなく口腔内での使用が可能であり、更に唾液を吸収する材質であり、使用中に破損しないような機械的強度を備えていることが好ましい。 当該唾液吸収体９は、材質的には、特に限定はないが、例えば、コットン、セルロ− ス、ポリウレタン、ポリエステル、レ−ヨン、不織布、混合繊維等が使用できる。 
【００１９】
被験者の唾液を採取する方法としては、例えば唾液吸引装置を用いる吸引法による方法が用いられているが、当該吸引法は、研究者・熟練者・医療関係者などに向いていて、一般人が行うのは容易ではないという欠点があるが、本考案では、上記のように、唾液の成分検査に際し、Ｕ字型形状に構成された当該隔壁６の舌側に、唾液吸収体９を装着し、 当該舌８の下部の唾液を当該唾液吸収体９により吸着させて唾液を採取すればよいので、一般人が容易に唾液を採取できる。一方、被験者の唾液を採取する際に、分泌された唾液をロート等の採取容器に吐き出して採取する方法（吐出法）が行われているが、被験者が子供や高齢者等である場合には、この方法により唾液を採取することは困難なことがある等の問題がある。そのような場合には、把持棒等の先端に取り付けられた合成樹脂や脱脂綿等から成る吸水性材料を被験者の口腔内に挿入させたまましばらく放置することにより、当該吸水性材料に唾液を吸い込ませて唾液を採取する方法が行われている（スワブ法）。しかしながら、スワブ法や吐出法は簡便ではあるが、異種唾液が混入しやすいという欠点がある。本考案では、上記のように、隔壁６を、人の下の歯７と舌８との間において、当該歯列７に沿設して装着させると、異種唾液の混入が抑制され、良好な唾液を採取できる。 
舌下腺唾液と顎下腺唾液とは、元々それぞれの唾液線管が合流して舌下小丘という所に開口して、主に粘液性唾液で味覚刺激がなくても出ているので固有唾液と呼ばれている。 一方、耳下腺は頬の粘膜の耳下腺乳頭というところに開口し、味覚刺激を受けたときなどにさらさらした漿液性唾液を出す。 本考案では、上記のように、隔壁６を、人の下の歯７と舌８との間において、当該歯列７に沿設して装着させると、前記の三大唾液腺以外の口唇腺、頬腺等の小唾液腺や目的 とする唾液以外の異種唾液の混入を防ぐことができる。本考案では、耳下腺３の唾液が 固有唾液（舌下腺１・顎下腺２唾液）に混入することを抑止することができる。本考案 では、本来採取する目的の唾液に対して異種唾液の混入を最小限に抑えて、唾液の成分測定の精度を向上した唾液採取を実現できる。
【００２０】
図５は、本考案の使用例の更に一例を示す説明図である。
当該使用例は、スワブ法の一例を示しており、把持棒等の先端に取り付けられた合成樹脂や脱脂綿等から成る吸水性材料１０を、被験者の口腔内に挿入させたまましばらく放置させ、その後に、当該吸水性材料に唾液を吸い込ませて唾液を採取する方法を示している。当該スワブ法は簡便ではあるが、異種唾液が混入しやすいという欠点があるが、本考案によれば、異種唾液の混入を抑制できる。
【００２１】
又、本考案は、図示していないが、被験者に分泌された唾液をロ−ト等の採取容器に吐き出して採取する方法（吐出法）にも適用でき、その場合、当該吐出法は簡便ではあるが、異種唾液が混入しやすいという欠点があるが、異種唾液の混入を抑制できる。
【００２２】
図６は、本考案の使用例の更に又一例を示す説明図である。前記では、スワブ法の一例で、把持棒などの先端に取り付けられた合成樹脂や脱脂綿等から成る吸水性材料１０を、被験者の口腔内に挿入させて唾液を採取する使用例を示したが、本考案は、図６に示すように、唾液吸収部１１０を装着した唾液採取器１１により唾液を採取することもできる。本考案は、大掛かりな唾液吸引器具は必要なく、隔壁６の存在により、簡易な唾液採取器により、異種唾液の混入を抑制しつつ、精度の高い唾液を採取できる。 本考案は、一般大衆が比較的簡単に唾液の成分を精度よく調べることができる。 
【００２３】
実施例２
図７は、本考案の更に他の実施例を示す隔壁の平面図である。 図１に示す隔壁と同様に、人の口腔内に存在する唾液を検体に採取する際であっ て、且つ、異種唾液腺の混合を抑制して目的とする唾液腺よりなる唾液を採取する際に、人の口腔内に装着する隔壁の一例を示す平面図である。前記図１に示す実施例１では、当該隔壁６が、人の下の歯７と舌８との間において、当該歯７の舌側に沿設して装着するようになっているのに対して、当該図７に示当該実施例２ では、当該隔壁６が、人の下の歯７に沿い、且つ、当該下の歯７の頬側において当該下の歯７と頬との間に装着するようになっている。一方、当該 隔壁は、実施例１と同様に、Ｕ字型形状の隔壁をなしている。 当該隔壁６も、前記実施例１と同様に、Ｕ字型形状に構成され、上面と下面６と適宜 厚さの本体部とを有して構成されている。
【００２４】
図８は、図７に示す隔壁についての本考案の使用例の一例を示す説明図である。 図８に示すように、唾液の検査に際し、Ｕ字型形状に構成された当該図７に示す隔壁６を、人の下の歯７の頬側に沿い、且つ、当該下の歯７と頬１２との間に装着するようになっている。
【００２５】
図７及び図８に示す当該隔壁６も、前記実施例１と同様に、人体への影響がなく、口腔内での使用が可能で、更には、柔軟性および耐水性を有し、加工性も良く、使用中に破損し ないような機械的強度を備えていることが好ましい。材質的には、特に制限はなく、例えば、各種合成樹脂等が挙げられる。 その他、唾液の検査に際し、Ｕ字型形状に構成された当該隔壁６の下部に、唾液吸収体９を装着し、当該舌８の下部の唾液を当該唾液吸収体９により吸着させて唾液を採取するスワブ法や吐出法の適用などが可能で、本考案では、当該スワブ法や吐出法の適用は簡便ではあるが、異種唾液が混入しやすいという欠点があっても、実施例２に示すように、唾液の検査に際し、Ｕ字型形状に構成された当該図７に示す隔壁６を、人の下の歯７に沿い、且つ、当該下の歯７と頬１２との間に装着するようになっていて、装着させると、異種唾液の混入が抑制され、唾液測定に良好な唾液を採取できる。舌下腺唾液と顎下腺唾液とは、元々それぞれの唾液線管が合流して舌下小丘というところに開口して、主に粘液性唾液で味覚刺激がなくても出ているので固有唾液と呼ばれている。一方、耳下腺は頬の粘膜の耳下腺乳頭というところに開口し、味覚刺激を受けたときなどにさらさらした漿液性唾液を出す。 本考案では、上記のように、隔壁６を、人の下の歯７に沿い、且つ、当該下の歯７と頬１２との間に装着するようになっていて装着させると、前記の３大唾液腺以外の口唇腺、頬腺等の小唾液腺や目的とする唾液以外の異種唾液の混入を防ぐことができる。本考案では、前記実施例１を凌駕して、耳下腺３の唾液が固有唾液（舌下腺１・顎下腺２ 唾液）に混入することを抑制することができる。本考案では、本来採取する目的の唾液 に対して異種唾液の混入を最小限に抑えて、唾液測定の精度を向上できる唾液採取を実現できる。
【００２６】
本考案の隔壁存在下の唾液採取によれば、異種唾液の混入を最小限に抑えて、唾液の成分測定の精度を向上できる唾液採取を実現でき、例えば、診断材料としての唾液の有用性を用いてＨＩＶをはじめ肝炎ウイルス、梅毒、風疹、麻疹など各種スクリーニング検査や テオフィリン、フェニトインなどの治療薬およびニコチン、コカインなどの薬剤、薬物 モニタリング検査等を行うことができる。   当該検査に好影響を与えるためには、事前に、口腔内の環境を整えてから測定することや口腔内の汚れ等不純物が混ざらないようにすること、新鮮な唾液を採取することなども必要である。
【００２７】
本考案は上記実施例に限定されず、適宜変更が可能である。
【産業上の利用可能性】
【００２８】
本考案の隔壁は、唾液採取全般に適用できる。
【図面の簡単な説明】
【００２９】
【図１】本考案の一の実施例を示す唾液採取用隔壁の一例を示す平面図である。
【図２】本考案の実施例を示す唾液採取用隔壁の分解平面図である。
【図３】本考案の実施例を示す唾液採取用隔壁の斜視図である。
【図４】本考案の唾液採取用隔壁の使用例の一例を示す説明図である。
【図５】本考案の唾液採取用隔壁の使用例の更に一例を示す説明図である。
【図６】本考案の使用例の更に又一例を示す説明図である。
【図７】本考案の他の実施例を示す隔壁の平面図である。
【図８】図７に示す隔壁についての本考案の使用例の一例を示す説明図である。
【図９】人の唾液腺の説明図である。
【符号の説明】
【００３０】
１・・・舌下腺
２・・・顎下腺
３・・・耳下腺
４・・・口唇腺
５・・・頬腺
６・・・隔壁
７・・・歯
８・・・舌
９・・・唾液吸収体
１０・・・吸水性材料
１１・・・唾液採取器
１２・・・頬
【図１】
0003227943.tif 000003
【図２】
0003227943.tif 000004
【図３】
0003227943.tif 000005
【図４】
0003227943.tif 000006
【図５】
0003227943.tif 000007
【図６】
0003227943.tif 000008
【図７】
0003227943.tif 000009
【図８】
0003227943.tif 000010
【図９】
0003227943.tif 000011
【手続補正書】
【提出日】令和2年6月24日(2020.6.24)
【手続補正１】
【補正対象書類名】実用新案登録請求の範囲
【補正対象項目名】全文
【補正方法】変更
【補正の内容】
【実用新案登録請求の範囲】
【請求項１】
人の口腔内に存在する唾液を検体として採取する際であって、且つ、異種唾液腺の混合を抑制して、目的とする唾液腺よりなる唾液を採取する際に、人の口腔内に装着可能な唾液採取隔壁であって、当該唾液採取隔壁が、人の下の歯と舌との間において、当該歯列に沿設して装着するようになっているＵ字型形状の隔壁であるか、又は、当該唾液採取隔壁が、人の下の歯に沿い、且つ、当該下の歯と頬との間に装着するようになっているＵ字型形状の隔壁であることを特徴とする唾液採取隔壁。
【手続補正２】
【補正対象書類名】明細書
【補正対象項目名】０００７
【補正方法】変更
【補正の内容】
【０００７】
本考案によれば、請求項１に示すように、人の口腔内に存在する唾液を検体として採取する際であって、且つ、異種唾液腺の混合を抑制して目的とする唾液腺よりなる唾液を採取する際に、人の口腔内に装着可能な唾液採取隔壁であって、当該唾液採取隔壁が、人の下の歯と舌との間において、当該歯列に沿設して装着するようになっているＵ字型形状の隔壁であるか、又は、当該唾液採取隔壁が、人の下の歯に沿い、且つ、当該下の歯と頬との間に装着するようになっているＵ字型形状の隔壁を提供することにより、次のような作用効果を奏することができる。
被験者の唾液を採取する方法としては、例えば、唾液吸引装置を用いる吸引法が用いられているが、精度は高いが、研究者・熟練者・医療関係者などには向いていても、一般人が行うのは容易ではないという欠点があるが、本考案では、上記隔壁の提供により、唾液の成分検査に際し、一般人が容易に唾液を採取できるようになる。
又、被験者の唾液を採取する際に、被験者が分泌された唾液をロ−ト等の採取容器に吐き出して採取する方法（吐出法）が行われているが、被験者が子供や高齢者等である場合には、この方法により唾液を採取することは困難なことがある。そのような場合には、把持棒等の先端に取り付けられた合成樹脂や脱脂綿等から成る吸水性材料を被験者の口腔内に挿入させたまましばらく放置することにより、当該吸水性材料に唾液を吸い込ませて唾液を採取する方法が行われている（スワブ法）。しかしながら、吐出法やスワブ法は簡便ではあるが、異種唾液が混入しやすいという欠点がある。 それに対して、本考案の唾液採取隔壁を口中に装着させると、異種唾液の混入が抑制され、精度の高い唾液を採取できる。そして、異種唾液の混入が抑制されて、吐出法やスワブ法を実現できる。
舌下腺唾液と顎下腺唾液とは、元々それぞれの唾液線管が合流して舌下小丘というところに開口して、主に粘液性唾液で味覚刺激がなくても出ているので固有唾液と呼ばれている。一方、耳下腺は頬の粘膜の耳下腺乳頭というところに開口し、味覚刺激を受けたときなどにさらさらした漿液性唾液を出す。
本考案では、上記のように、唾液採取隔壁を口中に装着させると、前記の３大唾液腺以外の口唇腺、頬腺等の小唾液腺や目的とする唾液以外の異種唾液の混入を防ぐことができる。又、本考案では、耳下腺の唾液が固有唾液（舌下腺・顎下腺唾液）に混入することを抑制することができる。更に、本考案では、本来採取する目的の唾液に対して異種唾液の混入を最小限に抑えることができるので、唾液測定の精度を向上できる唾液採取を実現できる。
【手続補正３】
【補正対象書類名】明細書
【補正対象項目名】０００８
【補正方法】変更
【補正の内容】
【０００８】
又、本考案によれば、請求項１に示すように、唾液採取隔壁が、人の下の歯と舌との間において、当該歯列に沿設して装着するようにするとより一層、唾液の検査に際し、一般人が容易に唾液を採取できるようになると共に、異種唾液の混入が抑制され、唾液測定に良好な唾液を採取できる。
【手続補正４】
【補正対象書類名】明細書
【補正対象項目名】０００９
【補正方法】変更
【補正の内容】
【０００９】
更に、本考案によれば、請求項１に示すように、唾液採取隔壁をＵ字型形状の隔壁とすると、隔壁を、人の下の歯と舌との間において、当該歯列に沿設して装着し易くなり、より一層、唾液の検査に際し、一般人が容易に唾液を採取できるようになると共に、異種唾液の混入が抑制され、唾液測定に良好な唾液を採取できる。
【手続補正５】
【補正対象書類名】明細書
【補正対象項目名】００１０
【補正方法】変更
【補正の内容】
【００１０】
本考案によれば、請求項１に示すように、唾液採取隔壁が、人の下の歯に沿い、且 つ、当該下の歯と頬との間に装着するようになっていることにより、上記と同様に、一般人が容易に唾液を採取できるようになると共に、異種唾液の混入が抑制され、良好な唾液を採取でき、特に、唾液採取隔壁が、人の下の歯に沿い、且つ、当該下の歯と頬との間に装着するようになっているので、前記の三大唾液腺以外の口唇腺、頬腺等の小唾液腺や目的とする唾液以外の異種唾液の混入をより一層防ぐことができると共に、耳下腺の唾液が固有唾液（舌下腺・顎下腺唾液）に混入することを、より一層、抑制することができる。又、本来採取する目的の唾液に対して異種唾液の混入をより一層最小限に抑えて、唾液の成分測定の精度を向上できる唾液採取を実現できる。
【手続補正６】
【補正対象書類名】明細書
【補正対象項目名】００１１
【補正方法】変更
【補正の内容】
【００１１】
又、本考案によれば、唾液採取隔壁を、人の下の歯に沿い、且つ、当該下の歯と頬との間に装着する場合も、唾液採取隔壁をＵ字型形状の隔壁とし、人の下の歯に沿い、且つ、当該下の歯と頬との間に装着するようにすると、より一層、一般人が容易に唾液を採取できるようになると共に、異種唾液の混入が抑制され、唾液の成分測定に良好な唾液を採取でき、特に、唾液採取隔壁をＵ字型にすることにより、人の下の歯に沿い、且つ、当該下の歯と頬との間に装着でき、前記の三大唾液腺以外の口唇腺、頬腺等の小唾液腺や目的とする唾液以外の異種唾液の混入をより一層防ぐことができると共に、前記請求項１の唾液採取隔壁を凌駕して、耳下腺の唾液が固有唾液（舌下腺・ 顎下腺唾液）に混入することを、より一層、抑制することができる。又、本来採取する目的の唾液に対して異種唾液の混入をより一層最小限に抑えて、唾液の成分測定の精度を向上できる唾液採取を実現できる。
【手続補正７】
【補正対象書類名】明細書
【補正対象項目名】００２３
【補正方法】変更
【補正の内容】
【００２３】
実施例２
図７は、本考案の更に他の実施例を示す隔壁の平面図である。 図１に示す隔壁と同様に、人の口腔内に存在する唾液を検体に採取する際であって、且つ、異種唾液腺の混合を抑制して目的とする唾液腺よりなる唾液を採取する際に、人の口腔内に装着する隔壁の一例を示す平面図である。前記図１に示す実施例１では、当該隔壁６が、人の下の歯７と舌８との間において、当該歯７の舌側に沿設して装着するようになっているのに対して、当該図７に示す当該実施例２では、当該隔壁６が、人の下の歯７に沿い、且つ、当該下の歯７の頬側において当該下の歯７と頬との間に装着するようになっている。一方、当該隔壁は、実施例１と同様に、Ｕ字型形状の隔壁をなしている。当該隔壁６も、前記実施例１と同様に、Ｕ字型形状に構成され、上面と下面と適宜厚さの本体部とを有して構成されている。